(57)【特許請求の範囲】
【請求項１】
引き違い建具を任意の位置でロックすることのできるロック装置であって、内側に位置する内側建具（１）の上端部に固定する取付板（１１）と、前記取付板に固定された駆動モーター（１２）と、前記取付板に取付けられ，前記駆動モーターによって回転する平面楕円状のカム部（１３ａ）を有する回転棒（１３）と、前記取付板に取付けられた収納ケース（１５）に収納され，前記カム部の内側に隣接する内側弾性部（１４ａ）と外側に隣接する外側弾性部（１４ｂ）とを有し，前記カム部の回転により，該カム部に押圧されることによって内外方向に移動して，前記内側弾性部を前記内側建具をガイドする内側レール壁（３ａ）の側面に強く弾接させると共に，前記外側建具を外側レール壁（３ｂ）の側面に強く弾接させることによって前記内側建具および外側建具をロックする弾性体（１４）と、前記取付板に取付けられ，前記駆動モーターの駆動源となるバッテリー（１６）と、からなることを特徴とする引き違い建具用ロック装置。
【請求項２】
引き違い建具を任意の位置でロックすることのできるロック装置であって、内側に位置する内側建具（１）の上端部に固定する取付板（１１）と、前記取付板に固定された駆動モーター（１２）と、前記取付板に取付けられ，前記駆動モーターによって回転する平面楕円状のカム部（１３ａ）を有する回転棒（１３）と、前記取付板に取付けられた収納ケース（１５）に収納され，前記カム部の内側に隣接する内側弾性部（１４ａ）と外側に隣接する外側弾性部（１４ｂ）とを有し，前記カム部の回転により，該カム部に押圧されることによって内外方向に移動して，前記内側弾性部を前記内側建具をガイドする内側レール壁（３ａ）の側面に強く弾接させると共に，前記外側建具を外側レール壁（３ｂ）の側面に強く弾接させることによって前記内側建具および外側建具をロックする弾性体（１４）と、前記取付板に取付けられ，前記駆動モーターの駆動源となるバッテリー（１６）と、前記取付板に取付けられ，前記バッテリーを充電するソーラーパネル（１７）と、前記取付板に取付けられ，前記駆動モーターの補助電源となるキャパシタ（１８）と、からなることを特徴とする引き違い建具用ロック装置。
【請求項３】
リモコン（３０）を設け、該リモコンからの信号を受ける受信センサー（１９）および信号受信基板回路（２０）を取付板（１１）に取付けてなることを特徴とする請求項１または２に記載の引き違い建具用ロック装置。
【請求項４】
弾性体（１４）がウレタンゴムであることを特徴とする請求項１、２または３に記載の引き違い建具用ロック装置。
【発明の詳細な説明】
【技術分野】
【０００１】
本発明は、建物の引き違い窓や引き違いドア等のいわゆる引き違い建具を、任意の位置でロックすることのできるロック装置に関するものである。
【背景技術】
【０００２】
建物の引き違い窓や引き違いドア等のいわゆる引き違い建具は、建物（または部屋）の内側に位置する内側建具と、外側に位置する外側建具と、それらを囲んで上端部と下端部にレール壁を有する枠体とで構成される。
【０００３】
こうした従来の引き違い建具は、一般に、内側建具と外側建具を完全に閉じた状態でのみロックすることができる構造となっている。
【発明の開示】
【発明が解決しようとする課題】
【０００４】
しかし、例えば、夏期などにおいて、屋内に風を通すためにやや開いたままの状態を維持しつつ、安全のためにロックしておきたい場合があるが、従来の引き違い建具はこうしたことができないといった問題がある。
【０００５】
本発明は係る点に鑑み創案されたもので、引き違い建具を、任意の位置で自在にロックすることのできるロック装置を提供することを課題とする。
【課題を解決するための手段】
【０００６】
図１乃至図６を参照して説明する。請求項１に記載の引き違い建具用ロック装置１０は、引き違い建具を任意の位置でロックすることのできるものであって、内側に位置する内側建具１の上端部に固定する取付板１１と、前記取付板１１に固定された駆動モーター１２と、前記取付板１１に取付けられ、前記駆動モーター１２によって回転する平面楕円状のカム部１３ａを有する回転棒１３と、前記取付板１１に取付けられた収納ケース１５に収納され、前記カム部１３ａの内側に隣接する内側弾性部１４ａと外側に隣接する外側弾性部１４ｂとを有し、前記カム部１３ａの回転により、当該カム部１３ａに押圧されることによって内外方向に移動して、前記内側弾性部１４ａを前記内側建具１をガイドする内側レール壁３ａの側面に強く弾接させると共に、前記外側建具２を外側レール壁３ｂの側面に強く弾接させることによって前記内側建具１および外側建具２をロックする弾性体１４と、前記取付板１１に取付けられ、前記駆動モーター１２の駆動源となるバッテリー１６と、からなることを特徴とする。
【０００７】
請求項２に記載の引き違い建具用ロック装置１０は、引き違い建具を任意の位置でロックすることのできるものであって、内側に位置する内側建具１の上端部に固定する取付板１１と、前記取付板１１に固定された駆動モーター１２と、前記取付板１１に取付けられ、前記駆動モーター１２によって回転する平面楕円状のカム部１３ａを有する回転棒１３と、前記取付板１１に取付けられた収納ケース１５に収納され、前記カム部１３ａの内側に隣接する内側弾性部１４ａと外側に隣接する外側弾性部１４ｂとを有し、前記カム部１３ａの回転により、当該カム部１３ａに押圧されることによって内外方向に移動して、前記内側弾性部１４ａを前記内側建具１をガイドする内側レール壁３ａの側面に強く弾接させると共に、前記外側建具２を外側レール壁３ｂの側面に強く弾接させることによって前記内側建具１および外側建具２をロックする弾性体１４と、前記取付板１１に取付けられ、前記駆動モーター１２の駆動源となるバッテリー１６と、前記取付板１１に取付けられ、前記バッテリー１６を充電するソーラーパネル１７と、前記取付板１１に取付けられ、前記駆動モーター１２の補助電源となるキャパシタ１８と、からなることを特徴とする。
【０００８】
請求項３に記載の引き違い建具用ロック装置１０は、請求項１または２に記載の発明において、リモコン３０を設け、そのリモコン３０からの信号を受ける受信センサー１９および信号受信基板回路２０を取付板１１に取付けてなることを特徴とする。
【０００９】
請求項４に記載の引き違い建具用ロック装置１０は、請求項１、２または３に記載の発明において、弾性体１４がウレタンゴムであることを特徴とする。
【発明の効果】
【００１０】
請求項１に記載の発明は、平面楕円状のカム部１３ａを回転させることによって、その内側と外側に位置する弾性体１４の内側弾性部１４ａを内方向を移動させると共に、外側弾性部１４ｂを外方向に移動させ、当該内側弾性部１４ａを内側レール壁３ａの側面に強く弾接させ、外側建具２を外側レール壁３ｂの側面に強く弾接させるので、その摩擦抵抗によって内側建具１および外側建具２を任意の位置で確実にロックすることができる。
【００１１】
なお、カム部１３ａを有する回転棒１３は駆動モーター１２によって回転し、駆動モーター１２はバッテリー１６によって回転する。また、弾性体１４は、収納ケース１５に収納されているので、その姿勢を良好に維持することができる。
【００１２】
請求項２に記載の発明は、請求項１に記載の発明と同様に、内側建具１と外側建具２を任意の位置で確実にロックすることができる。
【００１３】
また、バッテリー１６を太陽光によって発電するソーラーパネル１７によって充電するので、商用電源などを使用する必要がなく極めて経済的である。
【００１４】
さらに、補助電源であるキャパシタ１８を設けているので、バッテリー１６の電源が何らかの理由によって使用できない場合でも、駆動モーター１２を作動させて内側建具１および外側建具２を任意の位置でロックすることができる。
【００１５】
請求項３に記載の発明は、請求項１および２に記載の発明と同様の効果を発揮すると共に、リモコン３０を設け、そのリモコン３０からの信号を受ける受信センサー１９および信号受信基板回路２０を取付板１１に取付けているので、リモコン３０による遠隔操作を行うことができる。従って、使用性に優れる。
【００１６】
請求項４に記載の発明は、請求項１乃至３に記載の発明と同様の効果を発揮すると共に、弾性体１４をウレタンゴムで形成しているので、その大きな摩擦係数によって内側建具１および外側建具２をさらに確実にロックすることができる。
【発明を実施するための最良の形態】
【００１７】
本発明に係る引き違い建具用ロック装置１０の実施形態を、図１乃至図６に示す。これは、建物の引き違い窓に取付けられるものであり、取付板１１、駆動モーター１２、回転棒１３、弾性体１４、バッテリー１６、ソーラーパネル１７、キャパシタ１８、受信センサー１９、および信号受信基板回路２０を備える。また、別個にリモコン３０を備える。
【００１８】
取付板１１は、肉薄の平板状であり、その上下両端部に設けた取付孔１１ａからビスＳをねじ込んで、内側に位置する内側建具１の上端部に固定される。駆動モーター１２は、その取付板１１の上部に取付けられ、その回転軸に駆動歯車１２ａを有する。回転棒１３は、同じく取付板１１の中程に取付けられ、その下端部に駆動歯車１２ａに噛み合う従動歯車１３ｂを有し、先端部に平面楕円状のカム部１３ａを有する。
【００１９】
弾性体１４は、取付板１１の上端部に取付けられた剛性の高い金属性の収納ケース１５に収納されると共に、その前後両面が当該収納ケース１５に接着剤や両面接着テープなどの接合材Ｊによって固定されている。この弾性体１４は、カム部１３ａの内側に隣接する内側弾性部１４ａと外側に隣接する外側弾性部１４ｂとを有する。本実施形態における弾性体１４は、ゴムの内で最も摩擦係数の大きいウレタンゴムで形成している。
【００２０】
バッテリー１６は、取付板１１の駆動モーター１２の直下に取付けられ、ソーラーパネル１７およびキャパシタ１８はその直下に取付けられている。また、受信センサー１９および信号受信基板回路２０もその部分に取付られている。このバッテリー１６は、太陽光を利用して発電するソーラーパネル１７によって充電される。受信センサー１９は、リモコン３０から放射される赤外線を感知し、その信号が信号受信基板回路２０に送られ、駆動モーター１２を作動させる。
【００２１】
なお、バッテリー１６は、商用電源で充電するものを使用することができるし、また、乾電池を使用して構成することもできる。
【００２２】
本実施形態に係るロック装置１０は次のように作動する。例えば、引き違い建具の内側建具１と外側建具２を所望の位置で開いた状態で、この状態をロックすべくリモコン３０のスイッチをオンにする。この信号によって駆動モーター１２が回転し、駆動歯車１２ａおよび従動歯車１３ｂを介して回転棒１３のカム部１３ａが回転する。このカム部１３ａは平面楕円状に形成されているので、その楕円突出部Ｐが弾性体１４の内側弾性部１４ａおよび外側弾性部１４ｂを内外方向に押圧する。これにより、内側弾性部１４ａが内側建具１をガイドする枠体３の内側レール壁３ａの側面に強く弾接させると共に、外側建具２を外側レール壁３ｂの側面に強く弾接させる。その結果、この引き違い建具はロック状態となる。
【００２３】
なお、本実施形態ではキャパシタ１８を設けており、バッテリー１６の充電量が不足している場合は、このキャパシタ１８によって当該ロック装置１０を駆動することができる。なお、このキャパシタ１８はロック装置１０を３〜４回駆動することのできる容量を持つ。
【００２４】
本実施形態に係るロック装置１０は、上記した作用により、引き違い建具を任意に開いた位置で確実にロックすることができる。同様に、完全に閉じた状態でロックすることもできる。また、ソーラーパネル１７を取付けて太陽光で駆動するので経済的である。また、リモコン３０で操作するので遠隔操作が可能となり、使用性に優れる。
【００２５】
さらに、弾性体（ウレタンゴム）１４を弾接させてロックするので、内側レール壁３ａおよび外側レール壁３ｂの側面を傷つけることがない。また、当該側面に多少の凹凸が存在していても、弾性体１４がそれに対応して弾性変形するので、常に強く弾接させることができ、よって確実にロックすることができる。
【００２６】
なお、弾性体１４の構造は、本実施形態のものに限定されるものではなく、図７に示すように、カム部１３ａによって押圧され移動（弾性変形を含む）するといった作動原理を利用するものであれば良い。
【００２７】
また、本実施形態では、引き違い窓に取付ける場合について述べたが、このロック装置１０は、引き違いドアや襖あるいは障子などのあらゆる種類の引き違い式の建具に取付けることができる。さらに、このロック装置１０は、内側建具１に取付ける代わりに、外側建具２に同様に取り付けることもできる。
【図面の簡単な説明】
【００２８】
【図１】本発明の実施形態に係るロック装置を引き違い建具（窓）に取付けた状態（やや開いた状態）を示す正面図である。
【図２】図１に示すロック装置を示す正面図である。
【図３】図１のＸ−Ｘ線断面図である。
【図４】図３の要部を示す拡大図である（ロックしていない状態）。
【図５】図３の要部を示す拡大図である（ロックしている状態）。
【図６】本実施形態に係る弾性体を示すもので、（ａ）はロックしていない状態、（ｂ）はロックしている状態を示す平面図である。
【図７】本発明における弾性体の作動原理を示すもので、（ａ）はロックしていない状態、（ｂ）はロックしている状態を示す平面図である。
【符号の説明】
【００２９】
１          内側建具
２          外側建具
３          枠体
３ａ        内側レール壁
３ｂ        外側レール壁
１０        ロック装置
１１        取付板
１１ａ      取付孔
１２        駆動モーター
１２ａ      駆動歯車
１３        回転棒
１３ａ      カム部
１３ｂ      従動歯車
１４        弾性体
１４ａ      内側弾性部
１４ｂ      外側弾性部
１５        収納ケース
１６        バッテリー
１７        ソーラーパネル
１８        キャパシタ
１９        受信センサー
２０        信号受信基板回路
３０        リモコン
Ｊ          接合材
Ｐ          楕円突出部
Ｓ          ビス
【図１】
0004685649.tif 000002
【図２】
0004685649.tif 000003
【図３】
0004685649.tif 000004
【図４】
0004685649.tif 000005
【図５】
0004685649.tif 000006
【図６】
0004685649.tif 000007
【図７】
0004685649.tif 000008